(57)【要約】【課題】無線通信及び赤外線通信の両方を行うことができる天井埋込型の照明器具を提供する。【解決手段】天井埋込型の照明器具１であって、天井２の開口部２ａに埋め込み配設された、照明光を出射する光源部１１０を有する灯具ユニット１００と、天井裏に配置された、光源部１１０を発光させるための電力を生成する電源ユニット２００とを備え、灯具ユニット１００は、照明器具１を制御するための赤外線信号を受信する赤外線通信モジュール１０１を有し、電源ユニット２００は、照明器具１を制御するための無線信号を受信する無線通信モジュール２０１を有する。【選択図】図１
2018139200.tif 000002
【特許請求の範囲】
【請求項１】
天井埋込型の照明器具であって、
天井の開口部に埋め込み配設され、照明光を出射する光源部を有する灯具ユニットと、
天井裏に配置され、前記光源部を発光させるための電力を生成する電源ユニットとを備え、
前記灯具ユニットは、前記照明器具を制御するための赤外線信号を受信する赤外線通信モジュールを有し、
前記電源ユニットは、前記照明器具を制御するための無線信号を受信する無線通信モジュールを有する、
照明器具。
【請求項２】
さらに、前記赤外線通信モジュールで受信した前記赤外線信号に応じた制御信号を前記電源ユニットに伝送する電線を備える、
請求項１に記載の照明器具。
【請求項３】
前記灯具ユニットは、前記光源部が配置された基台と、前記基台に固定され、前記開口部に取り付けられる枠体部とを有し、
前記赤外線通信モジュールは、前記枠体部に設けられている、
請求項１又は２に記載の照明器具。
【請求項４】
前記枠体部には、前記赤外線通信モジュールにより受信される赤外線信号が通る貫通孔が設けられている、
請求項３に記載の照明器具。
【請求項５】
前記枠体部は、補助反射板を有し、
前記貫通孔は、前記補助反射板に設けられている、
請求項４に記載の照明器具。
【請求項６】
さらに、前記貫通孔を塞ぐキャップを有し、
前記キャップは、赤外線信号を透過する材料によって構成されている、
請求項４又は５に記載の照明器具。
【請求項７】
前記赤外線通信モジュールは、前記光源部付近に配置されている、
請求項１又は２に記載の照明器具。
【請求項８】
前記灯具ユニットは、前記光源部が配置された基台と、前記基台に取り付けられ、前記光源部から出射した照明光を反射する反射板とを有し、
前記赤外線通信モジュールは、前記反射板と前記基台との間に配置され、
前記反射板には、前記赤外線通信モジュールにより受信される赤外線信号が通る貫通孔が設けられている、
請求項７に記載の照明器具。
【請求項９】
前記灯具ユニットは、前記光源部が配置された基台と、前記基台に取り付けられ、前記光源部からの光を反射する反射板と、前記反射板で反射した光を透過するレンズとを有し、
前記赤外線通信モジュールは、前記反射板と前記レンズとの間に配置されている、
請求項７に記載の照明器具。
【請求項１０】
前記赤外線通信モジュールは、前記照明器具を制御するための赤外線信号として、前記照明光の照明態様を制御するための赤外線信号を受信する、
請求項１〜９のいずれか１項に記載の照明器具。
【発明の詳細な説明】
【技術分野】
【０００１】
本発明は、天井埋込型の照明器具に関する。
【背景技術】
【０００２】
従来、天井面に設置されるシーリングライト等の照明器具が知られている（例えば特許文献１）。シーリングライトは、例えば、照明光を発する光源モジュールと、光源モジュールが取り付けられた器具本体と、器具本体内に収納された電源ユニットと、光源モジュールを覆うように器具本体に取り付けられた透光性のグローブとを備える。
【０００３】
一方、天井に埋め込み配設されたダウンライト等の天井埋込型の照明器具が知られている（例えば特許文献２）。天井埋込型の照明器具は、天井の開口部に取り付けられた灯具ユニットと、天井裏に配置された電源ユニットとを備える。灯具ユニットは、例えば、光源モジュールが取り付けられた器具本体と、器具本体を天井の開口部に保持させるための枠体部とを備える。
【０００４】
照明器具において、光源モジュールは、例えば、ＬＥＤ（Ｌｉｇｈｔ  Ｅｍｉｔｔｉｎｇ  Ｄｉｏｄｅ）によって構成されている。この場合、電源ユニットは、商用電源からの交流電力を直流電力に変換する等して光源モジュールを発光させるための電力を生成する。電源ユニットで生成された電力は、電線を介して光源モジュールに供給される。
【先行技術文献】
【特許文献】
【０００５】
【特許文献１】特開２０１２−１４６６６６号公報
【特許文献２】特開２００８−３１１２３８号公報
【発明の概要】
【発明が解決しようとする課題】
【０００６】
近年、シーリングライト等の照明器具については、無線通信機能を有するものが提案されている。無線通信機能を有するシーリングライトでは、器具本体内に収納された電源ユニット内に無線通信用の無線アンテナ及び無線通信モジュールが搭載されており、無線通信用の無線アンテナによって無線信号を受信することで、照明器具が制御される。例えば、ユーザが無線リモコンを操作することによって、無線リモコンと照明器具とのペアリングを行ったり、複数台の照明器具に対してグルーピングを行ったりできる。
【０００７】
また、シーリングライト等の照明器具については、赤外線通信機能を有するものが知られている。赤外線通信機能を有する照明器具は、赤外線受信部を有する赤外線通信モジュールを備えており、赤外線受信部が赤外線信号を受信することで、照明器具が制御される。例えば、ユーザが赤外線リモコンを操作することによって、照明器具の点消灯制御を行ったり、照明器具の調光制御又は調色制御を行ったりできる。
【０００８】
しかしながら、ダウンライト等の天井埋込型の照明器具については、シーリングライトとは異なり、電源ユニットが天井裏に配置されているため、無線通信及び赤外線通信の両方を行うことができない。
【０００９】
本発明は、このような課題を解決するためになされたものであり、無線通信及び赤外線通信の両方を行うことができる天井埋込型の照明器具を提供することを目的とする。
【課題を解決するための手段】
【００１０】
上記目的を達成するために、本発明に係る照明器具の一態様は、天井埋込型の照明器具であって、天井の開口部に埋め込み配設され、照明光を出射する光源部を有する灯具ユニットと、天井裏に配置され、前記光源部を発光させるための電力を生成する電源ユニットとを備え、前記灯具ユニットは、前記照明器具を制御するための赤外線信号を受信する赤外線通信モジュールを有し、前記電源ユニットは、前記照明器具を制御するための無線信号を受信する無線通信モジュールを有する。
【発明の効果】
【００１１】
本発明によれば、無線通信及び赤外線通信の両方を行うことができる天井埋込型の照明器具を実現できる。
【図面の簡単な説明】
【００１２】
【図１】天井に埋め込み配設された実施の形態１に係る照明器具を模式的に示す断面図である。
【図２】実施の形態１に係る照明器具における灯具ユニットの斜視図である。
【図３】実施の形態１に係る照明器具における灯具ユニットの斜視図である。
【図４】実施の形態１に係る照明器具における灯具ユニットの断面図である。
【図５】実施の形態１に係る照明器具に用いられる赤外線通信モジュールの分解図である。
【図６】実施の形態１の変形例１に係る照明器具における灯具ユニットの断面図である。
【図７】実施の形態１の変形例２に係る照明器具における灯具ユニットの断面図である。
【図８】実施の形態２に係る照明器具における灯具ユニットの斜視図である。
【図９】実施の形態２に係る照明器具における灯具ユニットの斜視図である。
【図１０】実施の形態２に係る照明器具における灯具ユニットの部分拡大図である。
【図１１】実施の形態２の変形例に係る照明器具における灯具ユニットの部分拡大図である。
【発明を実施するための形態】
【００１３】
以下、本発明の実施の形態について、図面を参照しながら説明する。なお、以下で説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。各図において、実質的に同一の構成に対しては同一の符号を付しており、重複する説明は省略又は簡略化される場合がある。
【００１５】
なお、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。
【００１６】
（実施の形態１）
まず、実施の形態１に係る照明器具１の概略構成について、図１を用いて説明する。図１は、天井２に埋め込み配設された実施の形態１に係る照明器具１を模式的に示す断面図である。
【００１７】
図１に示すように、照明器具１は、ダウンライト等の天井埋込型の照明器具であり、建物の天井２に埋め込み配設されることにより下方（床等）に照明光を照射する。
【００１８】
照明器具１は、光源部１１０を有する灯具ユニット１００と、電源回路２１０を有する電源ユニット２００とを備える。本実施の形態において、灯具ユニット１００と電源ユニット２００とは、構造上分離されており、天井２の異なる箇所に設置される。
【００１９】
具体的には、灯具ユニット１００は、天井２の開口部２ａに埋め込み配設されており、電源ユニット２００は、天井２の裏面（天井裏）に配置されている。天井２の開口部２ａは、灯具ユニット１００を天井２に取り付けるための取付用孔である。開口部２ａは、天井２を貫通する貫通孔であり、例えば円形開口の円形孔である。
【００２０】
灯具ユニット１００は、光源部１１０を有する灯体であり、照明光を出射する。また、灯具ユニット１００は、赤外線信号（赤外光）を受信する赤外線通信モジュール１０１を有する。赤外線通信モジュール１０１は、照明器具１を制御するための赤外線信号を受信する。赤外線信号の波長は、一例として９４５ｎｍであるが、これに限らない。赤外線信号は、例えば、赤外線送信機能を有する赤外線リモコン３から送信される。つまり、灯具ユニット１００及び赤外線リモコン３は、いずれも赤外線通信機能を有する。
【００２１】
赤外線通信モジュール１０１との間で赤外線通信を行う赤外線リモコン３は、ユーザによって操作される。ユーザが赤外線リモコン３を操作することによって、赤外線リモコン３からは、照明器具１を制御するための赤外線信号が送信される。
【００２２】
本実施の形態では、例えば、赤外線リモコン３からは、灯具ユニット１００（光源部１１０）から出射する照明光の照明態様を制御するための赤外線信号（個別照明制御用赤外線信号）が送信される。この場合、照明器具１の赤外線通信モジュール１０１は、照明器具１を制御するための赤外線信号として、光源部１１０の照明光の照明態様を制御するための赤外線信号（個別照明制御用赤外線信号）を受信する。
【００２３】
具体的には、ユーザが赤外線リモコン３を操作して照明制御用赤外線信号を照明器具１に送信することで、照明器具１の点消灯制御を行ったり、照明器具１の調光制御又は調光制御を行ったりできる。つまり、ユーザは、１台の照明器具１を個別制御したいような場合に、赤外線リモコン３を操作する。これにより、赤外線リモコン３からは、灯具ユニット１００（光源部１１０）の点消灯制御を行うための赤外線信号、又は、灯具ユニット１００（光源部１１０）の調光制御又は調色制御を行うための赤外線信号等の赤外線信号が送信される。
【００２４】
また、赤外線リモコン３からは、照明器具１と無線リモコン４とのペアリングを行うための赤外線信号（ペアリング用赤外線信号）も送信される。この場合、照明器具１の赤外線通信モジュール１０１は、照明器具１を制御するための赤外線信号として、照明器具１を無線リモコン４に対応づけるための赤外線信号（ペアリング用赤外線信号）を受信する。
【００２５】
赤外線通信モジュール１０１と電源ユニット２００とは、信号用ケーブル（制御線）等の第１電線３１０によって接続されており、赤外線通信モジュール１０１で受信した赤外線信号は、制御信号として第１電線３１０を介して電源ユニット２００に伝送される。つまり、第１電線３１０は、赤外線通信モジュール１０１で受信した赤外線信号に応じた制御信号を電源ユニット２００に伝送する。第１電線３１０は、例えば、信号用ケーブル等の制御線である。
【００２６】
電源ユニット２００は、無線信号を受信する無線通信モジュール２０１を有する。無線通信モジュール２０１は、照明器具１を制御するための無線信号を受信する。無線通信モジュール２０１は、無線信号を受信する無線アンテナと、無線アンテナで受信した無線信号を処理する処理回路（ＩＣ）とを有する。無線アンテナは、例えば基板に設けられたパターンアンテナである。無線アンテナで受信された無線信号は、処理回路で所定の制御信号（電気信号）に変換されて、電源ユニット２００の制御回路２２０に出力される。なお、無線通信モジュール２０１が受信する無線信号の周波数は、ＵＨＦ帯であり、一例として９２０ＭＨｚ帯であるが、これに限らない。
【００２７】
無線通信モジュール２０１で受信する無線信号は、例えば、無線送信機能を有する無線リモコン（電波リモコン）４から送信される。無線リモコン４は、移動可能な携帯端末であってもよいが、壁等に取り付けられていてもよい。無線リモコン４は、例えば、室内の壁に設置されており、室内に設置された１台又は複数台の照明器具１に対して各種制御を行う。
【００２８】
無線通信モジュール２０１との間で無線通信を行う無線リモコン４は、ユーザによって操作される。ユーザが無線リモコン４を操作することによって、無線リモコン４からは、照明器具１を制御するための無線信号が送信される。
【００２９】
本実施の形態では、無線リモコン４からは、当該無線リモコン４と照明器具１とのペアリングを行うための無線信号（ペアリング用無線信号）が送信される。この場合、照明器具１の無線通信モジュール２０１は、照明器具１を制御するための無線信号として、無線リモコン４と当該照明器具１とを対応づけるための無線信号（ペアリング用無線信号）を受信する。
【００３０】
また、無線リモコン４からは、無線リモコン４とペアリング済みの複数の照明器具１を１つのグループとして、この１つのグループに属する複数の照明器具１を同時に制御するための無線信号（一括照明制御用無線信号）も送信される。この場合、照明器具１の無線通信モジュール２０１は、照明器具１を制御するための無線信号として、無線リモコン４とペアリング済みの複数の照明器具１（１グループ内の複数の照明器具１）を同時に制御するための無線信号（一括照明制御用無線信号）を受信する。
【００３１】
ここで、赤外線リモコン３と無線リモコン４とを使って照明器具１の制御を行う場合の一例を説明する。特に、ペアリングの設定方法について説明する。
【００３２】
まず、無線リモコン４を操作して無線リモコン４をペアリングモードにして、無線リモコン４から照明器具１にペアリング用無線信号を送信する。これにより、照明器具１の無線通信モジュール２０１は、無線リモコン４からのペアリング用無線信号を受信する。このとき、無線リモコン４とペアリングさせる照明器具１は、１台又は複数台のいずれであってもよく、ペアリング用無線信号を受信した１台又は複数の照明器具１が、無線リモコン４とペアリングされる候補となる。
【００３３】
次に、無線リモコン４からペアリング用無線信号が送信されている間に、赤外線リモコン３を操作することによって、無線リモコン４とペアリングさせる特定の照明器具１に対してペアリング用赤外線信号を送信する。赤外線リモコン３から送信されるペアリング用赤外線信号は、照明器具１の赤外線通信モジュール１０１によって受信される。
【００３４】
これにより、ペアリング用赤外線信号を受信した特定の照明器具１が、ペアリング用無線信号を送信する無線リモコン４とペアリングされる。また、複数の照明器具１に対してペアリングを行う場合、各照明器具１に対応する赤外線リモコン３を順次操作して、ペアリング用赤外線信号を複数の照明器具１の各々に順次送信することによって、特定の１つの無線リモコン４と特定の複数の照明器具１とをペアリングすることができる。
【００３５】
そして、特定の無線リモコン４とペアリングされた１台又は複数の特定の照明器具１は、特定の無線リモコン４からの一括照明制御用無線信号によって同時に照明態様の制御が行われる。つまり、ペアリング設定が完了すると、１つの特定の無線リモコン４を操作することで、ペアリングされた１グループ内に属する複数の特定の照明器具１に対して、同時に点消灯制御を行ったり、同時に調光制御を行ったりできる。
【００３６】
また、複数の照明器具１とのペアリングが完了した後でも、各照明器具１に対応する赤外線リモコン３を操作することで、各照明器具１の照明態様を個別に制御することも可能である。
【００３７】
なお、本実施の形態において、無線通信モジュール２０１は、無線信号を受信する機能のみを有しているが、これに限らず、無線信号を送信する機能を有していてもよい。この場合、無線リモコン４が無線信号を受信できる機能を有していれば、無線通信モジュール２０１から送信された無線信号を無線リモコン４で受信することができる。
【００３８】
電源ユニット２００は、光源部１１０を発光させるための電力を生成する電源機能を有する。具体的には、電源ユニット２００は、電源回路２１０によって、電源端子台２０５から供給される商用電源からの交流電力を直流電力に変換する。
【００３９】
電源ユニット２００と灯具ユニット１００（光源部１１０）とは、第２電線３２０によって接続されており、電源ユニット２００で生成された直流電力は、第２電線３２０を介して灯具ユニット１００の光源部１１０に供給される。第２電線３２０は、電源ケーブル等の電力供給線である。
【００４０】
また、本実施の形態において、電源ユニット２００は、さらに、灯具ユニット１００（光源部１１０）の照明態様を制御する照明制御機能を有する。具体的には、電源ユニット２００は、制御回路２２０によって、無線通信モジュール２０１で受信した無線信号又は赤外線通信モジュール１０１で受信した赤外線信号に応じて光源部１１０の照明態様（発光態様）を制御する。例えば、電源ユニット２００は、制御回路２２０によって、灯具ユニット１００（光源部１１０）を点灯させたり消灯させたり、灯具ユニット１００（光源部１１０）の明るさを変えたり光色や色温度を変えたりする。本実施の形態において、制御回路２００は、電源回路２１０とともに同じ回路基板に組み込まれている。
【００４１】
電源ユニット２００は、無線通信モジュール２０１と、無線通信モジュール２０１を収納する筐体２０２とを有する。さらに、電源ユニット２００は、回路基板２０３と、複数の回路素子２０４とを有する。
【００４２】
筐体２０２は、無線通信モジュール２０１と、複数の回路素子２０４が実装された回路基板２０３とを収納する。例えば、筐体２０２は、金属製又は絶縁樹脂製のケースである。本実施の形態において、筐体２０２は、金属ケースである。筐体２０２は、天井裏に配置される。
【００４３】
回路基板２０３は、所定形状の金属配線が形成されたプリント配線基板である。回路基板２０３には、複数の回路素子２０４が実装されている。
【００４４】
複数の回路素子２０４には、光源部１１０を発光させるための電力を生成する電源回路２１０を構成する電源回路素子と、光源部１１０の照明態様を制御する制御回路２２０を構成する制御回路素子とが含まれる。
【００４５】
電源回路２１０を構成する電源回路素子及び制御回路２２０を構成する制御回路素子は、例えば、容量素子（電解コンデンサ、セラミックコンデンサ等）、抵抗素子（抵抗器等）、整流回路素子、コイル素子、トランス、ノイズフィルタ、ダイオード、集積回路素子（ＩＣ）、又は、半導体素子（ＦＥＴ等）等である。
【００４６】
電源回路２１０は、例えば、商用電源等の外部電源からの交流電力を、整流、平滑及び降圧等して所定レベルの直流電力に変換する。制御回路２２０は、調光制御回路及び調色制御回路等である。制御回路２２０によって電源回路２１０から出力する直流電力が制御される。
【００４７】
また、電源ユニット２００には、電源端子台２０５が設けられている。電源端子台２０５にはＶＶＦケーブル等の電線が接続されており、この電線によって商用電源からの交流電力が電源端子台２０５に供給される。電源端子台２０５に供給された交流電力は、電源回路２１０に供給される。
【００４８】
このように構成された照明器具１では、例えば、赤外線リモコン３から送信された赤外線信号が赤外線通信モジュール１０１で受信（受光）されると、赤外線信号の指示内容に応じて、灯具ユニット１００（光源部１１０）が点灯したり消灯したり、また、灯具ユニット１００（光源部１１０）の明るさが変化したり光色や色温度が変化したりする。
【００４９】
この場合、灯具ユニット１００に搭載された赤外線通信モジュール１０１に赤外線信号が受信されると、この赤外線信号は、赤外線通信モジュール１０１で所定の制御信号（電気信号）に変換され、第１電線３１０によって電源ユニット２００の制御回路２２０に送信される。
【００５０】
そして、第１電線３１０を介して赤外線通信モジュール１０１から電源ユニット２００に送信された赤外線信号に基づく制御信号は、制御回路２２０及び電源回路２１０で処理され、所望の直流電力となって、第２電線３２０を介して灯具ユニット１００の光源部１１０に供給される。これにより、光源部１１０は、赤外線信号の指示内容に応じて照明態様が変化する。
【００５１】
例えば、赤外線通信モジュール１０１で受信した赤外線信号が点灯信号又は消灯信号である場合、電源ユニット２００（電源回路２１０）から光源部１１０への直流電力の供給を開始したり停止したりする。また、赤外線通信モジュール１０１で受信した赤外線信号が調光信号（ＰＷＭ調光信号や位相制御調光信号）又は調色信号である場合、調光制御又は調色制御された直流電力が電源回路２１０から光源部１１０に供給される。これにより、光源部１１０が調光されて照明光の明るさが変化したり、光源部１１０が調色されて光色又は色温度が変化したりする。
【００５２】
なお、リモコン４を操作して照明器具１の照明態様を変更させる場合（点消灯制御や調光制御等を行う場合）も同様である。
【００５３】
［灯具ユニット］
次に、実施の形態１に係る照明器具１における灯具ユニット１００の詳細な構成について、図２〜図４を用いて詳細に説明する。図２及び図３は、実施の形態１に係る照明器具１における灯具ユニット１００の斜視図であり、図２は床側から見たときの斜視図、図３は床側とは反対側から見たときの斜視図である。図４は、同灯具ユニット１００の断面図である。なお、図４では、灯具ユニット１００の断面部分のみを図示している。また、図２〜図４において、第１電線３１０及び第２電線３２０は省略している。
【００５４】
図２〜図４に示すように、灯具ユニット１００は、光源部１１０と、基台１２０と、反射板１３０と、レンズ１４０と、枠体部１５０とを有する。
【００５５】
［光源部］
図４に示される光源部１１０は、例えば照明光として白色光を照射する光源モジュールである。本実施の形態において、光源部１１０は、ＬＥＤによって構成されたＬＥＤモジュール（ＬＥＤ光源）である。一例として、光源部１１０は、ＣＯＢ（Ｃｈｉｐ  Ｏｎ  Ｂｏａｒｄ）構造であり、基板と、基板に実装されたＬＥＤと、ＬＥＤを封止する封止部材とを有する。ＬＥＤ及び封止部材は、光源部１１０の発光部となる。
【００５６】
基板は、ＬＥＤを実装するための実装基板であって、例えば、セラミックス基板、樹脂基板又はメタルベース基板等である。なお、基板には、直流電力を電源ユニット２００から受電するための一対の電極端子と、ＬＥＤ同士を電気的に接続するための所定のパターンの金属配線とが形成されている。一対の電極端子には、第２電線３２０が接続されている。
【００５７】
ＬＥＤは、発光素子の一例であり、例えば、単色の可視光を発するベアチップである。具体的には、ＬＥＤは、通電されれば青色光を発する青色ＬＥＤチップである。ＬＥＤは、例えば基板にマトリクス状に複数個配置されている。なお、ＬＥＤは、少なくとも１つ配置されていればよい。
【００５８】
封止部材は、例えば透光性樹脂である。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。蛍光体粒子としては、ＬＥＤが青色ＬＥＤチップである場合、白色光を得るために、例えばＹＡＧ系の黄色蛍光体を用いることができる。この場合、黄色蛍光体が、青色ＬＥＤチップが発した青色光の一部を吸収して励起されて黄色光を放出する。そして、この黄色光と黄色蛍光体に吸収されなかった青色光とが混ざって白色光となって光源部１１０から出射する。
【００５９】
なお、封止部材は、全てのＬＥＤを一括封止するように円形状に形成されているが、複数のＬＥＤを列ごとにライン状に封止してもよいし、各ＬＥＤを１つずつ個別に封止してもよい。
【００６０】
また、本実施の形態における光源部１１０は、調光制御及び調色制御を行うことができる光源モジュールである。したがって、光源部１１０は、例えば光色又は色温度が異なる複数の発光部を有する。この場合、光色の異なるＬＥＤを用いたり、波長変換材（蛍光体）の種類及び量を調整したりすることによって、各発光部の光色及び色温度を異ならせることができる。
【００６１】
このように構成された光源部１１０は、図４に示すように、ホルダによって基台１２０に取り付けられる。例えば、ホルダによって光源部１１０を基台１２０に押さえつけ、ホルダと基台１２０とをネジ等によって固定することで、光源部１１０を基台１２０の所定の位置に配置することができる。また、本実施の形態において、光源部１１０は、灯具ユニット１００の光軸中心に配置されている。
【００６２】
［基台］
基台１２０は、光源部１１０が配置される器具本体である。基台１２０は、光源部１１０を支持するとともに、光源部１１０で発生する熱を放熱するヒートシンクとしても機能する。したがって、基台１２０は、アルミニウム等の金属材料又は高熱伝導樹脂等の熱伝導率の高い材料によって作製されているとよい。本実施の形態において、基台１２０は、アルミダイカスト製である。
【００６３】
図４に示すように、基台１２０は、開口部１２０ａを有する凹部が設けられている。基台１２０の凹部内には、光源部１１０及び反射板１３０が配置される。また、基台１２０の開口部１２０ａには、レンズ１４０が配置される。
【００６４】
また、図２〜図４に示すように、基台１２０には、複数の放熱フィン１２０ｂが設けられている。複数の放熱フィン１２０ｂの各々は、平板状であり、基台１２０の凹部の反対側の部分の表面に立設されている。放熱フィン１２０ｂを設けることによって、光源部１１０で発生する熱を効率良く放熱させることができる。
【００６５】
［反射板］
図４に示される反射板１３０は、光源部１１０から出射した光を反射する反射部材である。具体的には、反射板１３０の内面は、光源部１１０からの光を反射させる反射面となっており、反射板１３０は、反射面によって光源部１１０から出射した光を所望の方向に向くように制御している。本実施の形態において、反射板１３０は、光源部１１０から出射した光がレンズ１４０に入射するように配光制御している。一例として、反射板１３０は、内面形状が漏斗状の円筒形状であり、内径が光入射側（光源側）の開口部から光出射側の開口部に向かって漸次大きくなるように構成されている。
【００６６】
反射板１３０は、例えば樹脂材料又は金属材料によって形成することができる。具体的には、反射板１３０は、ＰＢＴ（ポリブチレンテレフタレート）等の樹脂材料を用いた作製された白色の樹脂成型品であってもよいし、樹脂成型品の内面にアルミニウム等の金属膜が形成されたものであってもよいし、アルミニウム等の金属材料によって形成された金属部品であってもよい。
【００６７】
このように構成される反射板１３０は、基台１２０に取り付けられている。具体的には、反射板１３０は、光源部１１０を基台１２０に保持するために基台１２０に固定されたホルダに取り付けられることで、基台１２０に間接的に取り付けられている。
【００６８】
［レンズ］
図２及び図４に示すように、レンズ１４０は、光源部１１０を覆うように配置される。具体的には、レンズ１４０は、反射板１３０の開口部を覆うように、基台１２０の開口部に取り付けられている。
【００６９】
レンズ１４０は、光源部１１０から出射した光及び反射板１３０で反射した光が透過する。具体的には、レンズ１４０は、光源部１１０から出射した光及び反射板１３０で反射した光を所定の方向に配光制御する機能を有する。本実施の形態において、レンズ１４０は、フレネルレンズ機能を有するフレネル構造を有する。レンズ１４０は、さらに、光拡散構造を有する。光拡散構造は、例えば、レンズ１４０の光出射側の表面に形成された複数の微小凹凸（ドット、プリズム）である。
【００７０】
レンズ１４０は、透光性を有する透光性材料によって形成されている。具体的には、レンズ１４０は、アクリル又はポリカーボネート等の透明樹脂材料、又は、ガラス材料によって構成される。
【００７１】
［枠体部］
図１に示すように、枠体部１５０は、灯具ユニット１００を天井２の開口部２ａに取り付けるための取付部材である。具体的には、枠体部１５０は、基台１２０を天井２の開口部２ａに保持させるために、天井２の開口部２ａに取り付けられる。
【００７２】
本実施の形態において、枠体部１５０は、鉛直下方側の第１開口部と鉛直上方側の第２開口部とを有するカップ状の枠体そのものである。枠体部１５０は、アルミニウム等の金属材料によって構成されている。本実施の形態において、枠体部１５０は、アルミダイカスト製である。なお、枠体部１５０の材質は、金属材料に限るものではなく、樹脂材料であってもよい。
【００７３】
枠体部１５０の鉛直下方側の第１開口部にはフランジ状の鍔部が形成されている。この枠体部１５０の鍔部を天井２の天井面２ｂに当接させて枠体部１５０の外面に設けられた３つの取付バネ１６０によって天井２の開口部２ａの内側面を押圧することで、灯具ユニット１００を開口部２ａに保持させることができる。取付バネ１６０は、灯具ユニット１００を天井２の開口部２ａに取り付けるための弾性部材であり、板バネ構造を有する。取付バネ１６０は、例えば長尺状の金属板によって形成されている。
【００７４】
また、枠体部１５０は、ねじ等によって基台１２０に固定されている。つまり、枠体部１５０を天井２に取り付けることで、枠体部１５０とともに基台１２０も天井２に固定される。
【００７５】
枠体部１５０には、レンズ１４０から出射した光が入射する。枠体部１５０に入射した光は、枠体部１５０の内部を通って灯具ユニット１００の外部に出射する。なお、枠体部１５０は、補助反射板としても機能し、枠体部１５０の内面に入射した光は枠体部１５０の内面で反射して枠体部１５０の外部に出射する。
【００７６】
また、図２及び図４に示すように、枠体部１５０には、赤外線通信モジュール１０１を配置するための凹部１５０ａが設けられている。凹部１５０ａは、枠体部１５０の一部を枠体部１５０の裏側から枠体部１５０の内方に向かって突出させるように形成されている。
【００７７】
枠体部１５０には、赤外線通信モジュール１０１により受信される赤外線信号が通る貫通孔１５０ｂが設けられている。貫通孔１５０ｂは、赤外線信号受信用の小径孔であり、貫通孔１５０ｂには、光源部１１０から出射した照明光は通らない。
【００７８】
本実施の形態において、貫通孔１５０ｂは、凹部１５０ａの底面に設けられている。つまり、貫通孔１５０ｂは、ユーザから見えるところに設けられている。これにより、ユーザは、貫通孔１５０ｂ周辺に赤外線リモコン３の赤外線送信部を向けることで、照明器具１との赤外線通信を容易に行うことができる。
【００７９】
［赤外線通信モジュール］
赤外線通信モジュール１０１は、灯具ユニット１００に設けられており、赤外線信号を受信する機能を有する。具体的には、赤外線通信モジュール１０１は、受信した赤外線信号を所定の制御信号（電気信号）に変換する。本実施の形態における赤外線通信モジュール１０１は、赤外線通信機能のみを有しているので、小型のモジュールとなっている。
【００８０】
赤外線通信モジュール１０１は、枠体部１５０に設けられている。具体的には、赤外線通信モジュール１０１は、枠体部１５０の外面に配置されている。本実施の形態において、赤外線通信モジュール１０１は、枠体部１５０の裏側に設けられた凹部１５０ａに収納されている。これにより、赤外線通信モジュール１０１を隠すことができるので、ユーザは、赤外線通信モジュール１０１の存在に気がつかない。
【００８１】
図４及び図５に示すように、赤外線通信モジュール１０１は、赤外線受信部１０１ａと、回路基板１０１ｂと、ケース１０１ｃと、透光カバー１０１ｄとを有する。
【００８２】
赤外線受信部１０１ａは、赤外線信号を受信する受信部である。具体的には、赤外線受信部１０１ａは、赤外線信号である赤外光を受光する赤外線受光部である。例えば、赤外線受信部１０１ａは、赤外線リモコン３から送信された赤外線信号を受光する。赤外線受信部１０１ａは、ケース１０１ｃに設けられた貫通孔１０１ｃ１に対向する位置に配置される。
【００８３】
回路基板１０１ｂには、赤外線受信部１０１ａが実装されているとともに、複数の回路素子（不図示）が実装されている。回路基板１０１ｂに実装された複数の回路素子は、赤外線受信部１０１ａで受光した赤外線信号を所定の制御信号（電気信号）に変換する処理回路を構成している。この処理回路で生成された制御信号は、第１電線３１０を介して電源ユニット２００の制御回路２２０に伝送される。
【００８４】
ケース１０１ｃは、赤外線受信部１０１ａと、複数の回路素子が実装された回路基板１０１ｂとを収納する筐体である。ケース１０１ｃは、例えば樹脂製であるが、これに限らない。本実施の形態におけるケース１０１ｃは、２つに分割されているが、一体物であってもよい。
【００８５】
ケース１０１ｃには、赤外線信号を通過させるための貫通孔１０１ｃ１が設けられている。赤外線通信モジュール１０１の貫通孔１０１ｃ１は、枠体部１５０の貫通孔１５０ｂに対向する位置に配置されている。これにより、赤外線受信部１０１ａは、ケース１０１ｃの貫通孔１０１ｃ１を介して枠体部１５０の貫通孔１５０ｂに対向する位置に配置される。
【００８６】
透光カバー１０１ｄは、ケース１０１ｃに設けられた貫通孔１０１ｃ１を覆う。透光カバー１０１ｄは、赤外線信号を透過する材料によって構成されている。透光カバー１０１ｄは、矩形状の透明板であり、例えば透明樹脂材料又はガラス材料によって構成されている。透光カバー１０１ｄによって貫通孔１０１ｃ１を覆うことで、貫通孔１０１ｃ１からケース１０１ｃ内に塵埃等の異物が入り込むことを抑制できる。これにより、塵埃等が赤外線受信部１０１ａに付着して赤外線信号が正しく受信できなくなることを抑制することができる。
【００８７】
［作用効果］
次に、本実施の形態における照明器具１の作用効果について、本発明に至った経緯も含めて説明する。
【００８８】
これまで、シーリングライト等の天井面に設置された照明器具については、無線通信機能及び赤外線通信機能を有するものが提案されている。一方、ダウンライト等の天井埋込型の照明器具については、シーリングライトとは異なり、電源ユニットが天井裏に配置されているため、無線通信及び赤外線通信の両方を行うことができなかった。
【００８９】
特に、赤外線信号を受信する赤外線受信部は、金属や天井材等で赤外線信号が遮蔽されない位置に設置されていなければ、赤外線信号を受信することができない。また、赤外線通信モジュール（赤外線受信部）の位置をユーザが分からなければ、ユーザはどこに向けて赤外線信号を送信すればよいのかが分からない。
【００９０】
この点、シーリングライトでは、電源ユニットが天井面から室内側に位置しており、かつ、電源ユニットと灯具ユニット（光源部）とが器具本体に支持されていて同じ位置に配置されている。このため、シーリングライトでは、無線通信部（無線アンテナ、無線処理回路）と赤外線通信部（赤外線受信部、赤外線処理回路）とが一体化された通信モジュールを電源ユニットに搭載することで、ユーザがシーリングライトに向けて赤外線信号を送信するだけで、無線通信だけではなく、赤外線通信を行うことができる。
【００９１】
しかしながら、ダウンライト等の天井埋込型の照明器具では、電源ユニットが天井裏に配置されているため、無線通信部と赤外線通信部とが一体化された通信モジュールを電源ユニットに搭載すると、赤外線信号を受光することができない。
【００９２】
そこで、天井埋込型の照明器具において、無線通信部と赤外線通信部とが一体化された通信モジュールを、電源ユニットではなく灯具ユニットに搭載することも考えられる。しかしながら、無線通信部と赤外線通信部とが一体化された通信モジュールを灯具ユニットに搭載すると、灯具ユニットのサイズが大きくって、灯具ユニットの配置スペースが不足したり、灯具ユニットを設置する天井２の開口部２ａが大きくなったりする。
【００９３】
このように、ダウンライト等の天井埋込型の照明器具については、シーリングライトとは異なり、無線通信及び赤外線通信の両方を行うことができなかった。
【００９４】
これに対して、本実施の形態における照明器具１では、図１に示すように、天井裏に配置された電源ユニット２００に無線通信モジュール２０１を搭載し、天井２の開口部２ａに埋め込み配設された灯具ユニット１００に赤外線通信モジュール１０１を搭載している。つまり、赤外線通信モジュール１０１と無線通信モジュール２０１とを分離して、赤外線通信モジュール１０１をユーザから見える灯具ユニット１００に搭載している。
【００９５】
このように、天井２の開口部２ａに埋め込み配設された灯具ユニット１００に赤外線通信モジュール１０１を搭載することで、ユーザは、照明器具１との赤外線通信を容易に行うことができる。
【００９６】
具体的には、ユーザが、灯具ユニット１００（光源部１１０）から出射する照明光の照明態様を制御したい場合、赤外線リモコン３を操作して灯具ユニット１００に向かって赤外線信号を送信することで、灯具ユニット１００（光源部１１０）の照明態様を制御することができる。例えば、灯具ユニット１００（光源部１１０）を点灯させたり消灯させたり、照明光の明るさを変えたり光色や色温度を変えたりできる。
【００９７】
また、電源ユニット２００に無線通信モジュール２０１が搭載されているので、ユーザは、容易に照明器具１との無線通信を容易に行うことができる。具体的には、ユーザが、照明器具１の各種設定を行いたい場合又は灯具ユニット１００（光源部１１０）から出射する照明光の照明態様を制御したい場合、無線リモコン４を操作して無線信号を送信することで、照明器具１の各種設定を行ったり、灯具ユニット１００（光源部１１０）の照明態様を制御したりすることができる。
【００９８】
しかも、無線通信モジュール２０１を灯具ユニット１００ではなく電源ユニット２００に搭載しているので、灯具ユニット１００のサイズが大きくなることを抑制できるとともに、天井２の開口部２ａのサイズを大きくすることも不要となる。
【００９９】
以上、本実施の形態における照明器具１によれば、天井埋込型の照明器具でありながらも、無線通信及び赤外線通信の両方を行うことができる。
【０１００】
また、本実施の形態における照明器具１では、赤外線通信モジュール１０１と無線通信モジュール２０１とが分離して配置されているので、無線通信部と赤外線通信部とが一体化された通信モジュールと比べて、各モジュールを小型化できる。これにより、天井２の開口部２ａの開口径を大きくすることなく、赤外線通信モジュール１０１及び無線通信モジュール２０１を搭載することができる。
【０１０１】
特に、本実施の形態における照明器具１では、赤外線通信モジュール１０１をユーザから見える灯具ユニット１００に搭載されているが、赤外線通信モジュール１０１は赤外線通信機能のみを有する小型のモジュールである。これにより、赤外線通信モジュール１０１を搭載することによって灯具ユニット１００の意匠性が悪くなることを抑制することもできる。
【０１０２】
また、本実施の形態における照明器具１は、さらに、赤外線通信モジュール１０１で受信した赤外線信号に応じた制御信号を電源ユニット２００に伝送する第１電線３１０を備えている。
【０１０３】
これにより、赤外線通信モジュール１０１で受信した赤外線信号に応じた制御信号を電源ユニット２００で処理することで、灯具ユニット１００（光源部１１０）から出射する照明光の照明態様を制御することができる。つまり、天井２の開口部２ａに埋め込み配設された灯具ユニット１００に設けられた赤外線通信モジュール１０１で受信した赤外線信号は、一旦天井裏に配置された電源ユニット２００に制御信号として伝送されて電源回路２１０及び制御回路２２０で処理されてから、灯具ユニット１００（光源部１１０）に再び伝送されることで、照明光の照明態様が制御されている。これにより、灯具ユニット１００に別途電源回路又は制御回路等を実装する必要がないので、コストが増加することを抑制できる。
【０１０４】
また、図４に示すように、本実施の形態における照明器具１では、赤外線通信モジュール１０１が、天井２の開口部２ａに取り付けられた枠体部１５０に設けられている。
【０１０５】
枠体部１５０は、その裏側に天井裏との空間スペースを有しつつ、ユーザから見える位置に配置されている。したがって、赤外線通信モジュール１０１を枠体部１５０に設けることで、枠体部１５０の裏側で赤外線通信モジュール１０１のケース１０１ｃを隠しながら、赤外線通信モジュール１０１の赤外線受信部１０１ａをユーザから見える位置に配置することができる。これにより、赤外線通信モジュール１０１を設けることで意匠性が悪くなることを抑制しつつ、照明器具１との赤外線通信を容易に行うことができる。つまり、ユーザは、赤外線リモコン３を赤外線受信部１０１ａに向けて赤外線信号を送信することで、灯具ユニット１００の照明光の照明態様を容易に制御することができる。
【０１０６】
また、図４に示すように、本実施の形態における照明器具１において、枠体部１５０には、赤外線通信モジュール１０１により受信される赤外線信号が通る貫通孔１５０ｂが設けられている。
【０１０７】
これにより、赤外線通信モジュール１０１による赤外線信号の感度を向上させることができるとともに、ユーザは、貫通孔１５０ｂの位置によって赤外線通信モジュール１０１（赤外線受信部１０１ａ）の位置を容易に認識することができる。
【０１０８】
（実施の形態１の変形例１）
次に、実施の形態１の変形例１に係る照明器具１Ａについて、図６を用いて説明する。図６は、実施の形態１の変形例１に係る照明器具１Ａにおける灯具ユニット１００Ａの断面図である。なお、図６では、灯具ユニット１００Ａの断面部分のみを図示している。
【０１０９】
上記実施の形態１における照明器具１では、赤外線通信モジュール１０１が、灯具ユニット１００の枠体部１５０に設けられていたが、本変形例における照明器具１Ａでは、赤外線通信モジュール１０１が、灯具ユニット１００Ａの光源部１１０付近に配置されている。
【０１１０】
具体的には、本変形例において、赤外線通信モジュール１０１は、反射板１３０と基台１２０との間に配置されている。また、反射板１３０には、赤外線通信モジュール１０１により受信される赤外線信号が通る貫通孔１３０ａが設けられている。なお、レンズ１４０は、上記実施の形態１と同様に、透明樹脂材料又はガラス材料によって構成されているので、赤外線信号はレンズ１４０を透過する。これにより、赤外線信号は、レンズ１４０及び貫通孔１３０ａを介して赤外線通信モジュール１０１の赤外線受信部１０１ａ（不図示）に到達することができる。
【０１１１】
また、本変形例において、枠体部１５０Ａには、赤外線通信モジュール１０１が設けられていないので、枠体部１５０Ａには、上記実施の形態１における枠体部１５０のように、凹部１５０ａが設けられていない。
【０１１２】
なお、本変形例において、赤外線通信モジュール１０１の位置及び枠体部１５０Ａの形状以外は、電源ユニット２００を含めて上記実施の形態１における照明器具１と同様の構成である。
【０１１３】
このように、本変形例における照明器具１Ａによれば、赤外線通信モジュール１０１が灯具ユニット１００Ａの光源部１１０付近に配置されている。
【０１１４】
光源部１１０は、灯具ユニット１００の光軸中心に配置されているので、赤外線通信モジュール１０１を光源部１１０付近に配置することで、赤外線通信モジュール１０１も灯具ユニット１００の光軸中心付近に配置される。これにより、赤外線通信モジュール１０１によって赤外線信号を受信しやすくなる。つまり、赤外線通信モジュール１０１（赤外線受信部）の位置をユーザが認識できなくても、あるいは、赤外線通信モジュール１０１（赤外線受信部）の位置をユーザが認識しようとしなくても、赤外線リモコン３を概ね灯具ユニット１００Ａに向けて赤外線信号を送信するだけで、灯具ユニット１００Ａの照明光の照明態様を制御することができる。
【０１１５】
また、本変形例における照明器具１Ａでは、赤外線通信モジュール１０１が反射板１３０と基台１２０との間に配置されている。
【０１１６】
これにより、赤外線通信モジュール１０１のケース１０１ｃを隠すことができるので、赤外線通信モジュール１０１を搭載することによって灯具ユニット１００Ａの意匠性が悪くなることを抑制できる。つまり、本変形例における照明器具１Ａによれば、外観上、既存の照明器具と同様の意匠性を実現できる。
【０１１７】
（実施の形態１の変形例２）
次に、実施の形態１の変形例２に係る照明器具１Ｂについて、図７を用いて説明する。図７は、実施の形態１の変形例２に係る照明器具１Ｂにおける灯具ユニット１００Ｂの断面図である。なお、図７では、灯具ユニット１００Ｂの断面部分のみを図示している。
【０１１８】
上記実施の形態１における照明器具１では、赤外線通信モジュール１０１は、灯具ユニット１００の枠体部１５０に設けられていたが、本変形例における照明器具１Ｂでは、上記変形例１における照明器具１Ａと同様に、赤外線通信モジュール１０１は、灯具ユニット１００Ｂの光源部１１０付近に配置されている。
【０１１９】
また、上記変形例１における照明器具１Ａでは、赤外線通信モジュール１０１は、反射板１３０と基台１２０との間に配置されていたが、本変形例における照明器具１Ｂでは、赤外線通信モジュール１０１は、反射板１３０とレンズ１４０との間に配置されている。
【０１２０】
このように、本変形例における照明器具１Ｂによれば、上記変形例１における照明器具１Ａと同様に、赤外線通信モジュール１０１が灯具ユニット１００Ｂの光源部１１０付近に配置されている。
【０１２１】
これにより、赤外線リモコン３を概ね灯具ユニット１００Ｂに向けて赤外線信号を送信するだけで、灯具ユニット１００Ｂの照明光の照明態様を制御することができる。
【０１２２】
また、本変形例における照明器具１Ａでは、赤外線通信モジュール１０１は、反射板１３０とレンズ１４０との間に配置されている。
【０１２３】
これにより、赤外線信号は、レンズ１４０を透過するだけで、赤外線通信モジュール１０１に到達する。したがって、上記変形例１における照明器具１Ａと比べて、赤外線信号の感度が向上する。
【０１２４】
（実施の形態２）
次に、実施の形態２に係る照明器具１Ｃについて、図８〜図１０を用いて説明する。図８は、実施の形態２に係る照明器具１Ｃにおける灯具ユニット１００Ｃの斜視図である。図９は、同灯具ユニット１００Ｃの斜視図である。図１０は、同灯具ユニット１００Ｃの部分拡大図である。なお、図８及び図９において、第１電線３１０及び第２電線３２０は省略している。また、図１０では、灯具ユニット１００Ｃの断面部分のみを図示している。
【０１２５】
本実施の形態における照明器具１Ｃと上記実施の形態１における照明器具１とは、灯具ユニットの枠体部の構成が異なる。
【０１２６】
本実施の形態における灯具ユニット１００Ｃの枠体部１５０Ｃは、上記実施の形態１と同様に、灯具ユニット１００Ｃを天井２の開口部２ａに取り付けるための取付部材であって、天井２の開口部２ａに取り付けられるが、本実施の形態における枠体部１５０Ｃは、補助反射板１５１と枠板１５２とを有する枠体ユニットとして構成されている。
【０１２７】
補助反射板１５１は、カップ状の枠体である。補助反射板１５１は、例えばアルミニウム等の金属材料によって構成されている。補助反射板１５１には、赤外線通信モジュール１０１により受信される赤外線信号が通る貫通孔１５１ａが設けられている。貫通孔１５１ａは、赤外線通信モジュール１０１の赤外線受信部と対向する位置に設けられている。具体的には、貫通孔１５１ａと赤外線受信部とは、灯具ユニット１００の光軸方向に沿って並んでいる。
【０１２８】
枠板１５２は、金属板によって構成されたリング状の枠部材である。枠板１５２は、基台１２０を囲むように配置されている。
【０１２９】
補助反射板１５１と枠板１５２とは、一対の連結部材１５３によって連結されている。各連結部材１５３には、枠体部１５０Ｃを天井２の開口部２ａに取り付けるための取付金具１５４が設けられている。取付金具１５４を天井２の開口部２ａの縁部に掛止させることで、枠体部１５０Ｃが開口部２ａに取り付けられる。
【０１３０】
なお、取付金具１５４を用いるのではなく、枠板１５２を天板として用いて枠板１５２と天井２とをボルト及びナットで締め付けて固定することで、枠体部１５０Ｃを天井２の開口部２ａに取り付けてもよい。
【０１３１】
本実施の形態でも、上記実施の形態１と同様に、赤外線通信モジュール１０１は、枠体部１５０Ｃに設けられている。具体的には、赤外線通信モジュール１０１は、枠体部１５０Ｃの枠板１５２に取り付けられている。
【０１３２】
したがって、本実施の形態における照明器具１Ｃでも、上記実施の形態１と同様の効果を奏する。すなわち、本実施の形態における照明器具１Ｃは、天井２の開口部２ａのサイズを変えることなく、無線通信及び赤外線通信の両方を行うことができる。
【０１３３】
また、本実施の形態における照明器具１Ｃにおいて、赤外線通信モジュール１０１は枠板１５２に取り付けられており、補助反射板１５１には、赤外線通信モジュール１０１により受信される赤外線信号が通る貫通孔１５１ａが設けられている。
【０１３４】
これにより、赤外線通信モジュール１０１による赤外線信号の感度を向上させることができるとともに、ユーザは、貫通孔１５１ａの位置によって赤外線通信モジュール１０１（赤外線受信部１０１ａ）の位置を容易に認識することができる。したがって、ユーザは、赤外線リモコン３を操作することで、灯具ユニット１００の照明光の照明態様を容易に制御することができる。
【０１３５】
また、図１１に示すように、本実施の形態における照明器具１Ｃにおいて、補助反射板１５１の貫通孔１５１ａには、貫通孔１５１ａを塞ぐキャップ１５５が設けられているとよい。キャップ１５５は、透光カバーであり、赤外線信号を透過する材料によって構成されている。この場合、キャップ１５５の材料としては、レンズ１４０と同様に、透明樹脂材料又はガラス材料を用いるとよい。
【０１３６】
このように、補助反射板１５１の貫通孔１５１ａを、赤外線信号を透過するキャップ１５５で塞ぐことによって、貫通孔１５１ａを介して赤外線信号を赤外線通信モジュール１０１に受信させつつ、貫通孔１５１ａから塵埃等の異物が進入したり貫通孔１５１ａから光源部１１０の光が漏れたりすることを抑制できる。
【０１３７】
なお、キャップ１５５については、実施の形態１における照明器具１にも適用することができる。
【０１３８】
また、実施の形態１における変形例１、２の構成を本実施の形態に適用してもよい。つまり、本実施の形態において、赤外線通信モジュール１０１を、図６及び図７に示すように光源部１１０周辺に配置してもよい。
【０１３９】
（その他の変形例）
以上、本発明に係る照明器具について、実施の形態に基づいて説明したが、本発明は、上記実施の形態に限定されるものではない。
【０１４０】
例えば、上記実施の形態において、赤外線通信モジュール１０１は、灯具ユニット１００に１つ設けられていたが、これに限らない。赤外線通信モジュール１０１は、灯具ユニット１００に複数設けられていてもよい。
【０１４１】
また、上記実施の形態において、光源部１１０から出射する光に含まれる赤外線成分をカットするための赤外線カットフィルタを、光源部１１０の周辺等に配置してもよい。例えば、赤外線通信モジュール１０１が枠体部１５０に設けられている場合、レンズ１４０に赤外線カットフィルタを貼り合わせたり、レンズ１４０の前段又は後段に、赤外線カットフィルタを有する部材を取り付けたりすることができる。また、赤外線カットフィルタを用いるのではなく、赤外線成分をカットするための赤外線吸収材料をレンズ１４０に含ませてもよい。このように、光源部１１０から出射する光に含まれる赤外線成分をカットすることで、不要な赤外線が赤外線通信モジュール１０１に到達することを抑制できるので、赤外線通信モジュール１０１の誤検知を抑制することができる。
【０１４２】
また、上記実施の形態において、光源部１１０は、青色ＬＥＤと黄色蛍光体とによって白色光を放出するように構成したが、これに限らない。例えば、赤色蛍光体及び緑色蛍光体を含有する蛍光体含有樹脂を用いて、この蛍光体含有樹脂と青色ＬＥＤとを組み合わせることで白色光を放出するように構成しても構わない。
【０１４３】
また、上記実施の形態において、ＬＥＤとして、青色ＬＥＤを用いたが、これに限らない。例えば、ＬＥＤとしては、青色以外の色の光を発光するものや、紫外光を発するものを用いてもよい。この場合、蛍光体としては、ＬＥＤが発する光の波長に応じて適宜選択すればよい。
【０１４４】
また、上記実施の形態において、光源部１１０は、実装基板上にＬＥＤチップを直接実装したＣＯＢ構造としたが、これに限らない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を１個又は複数個、実装基板に実装した構成である。
【０１４５】
また、上記実施の形態では、光源部１１０の光源としてＬＥＤを例示したが、これに限らない。例えば、光源部１１０の光源としては、半導体レーザ等の半導体発光素子、又は、有機ＥＬ（Ｅｌｅｃｔｒｏ  Ｌｕｍｉｎｅｓｃｅｎｃｅ）や無機ＥＬ等、ＬＥＤ以外の固体発光素子を用いてもよいし、蛍光ランプや高輝度ランプ等の既存のランプを用いてもよい。
【０１４６】
その他、上記実施の形態に対して当業者が思いつく各種変形を施して得られる形態や、本発明の趣旨を逸脱しない範囲で上記実施の形態における構成要素及び機能を任意に組み合わせることで実現される形態も本発明に含まれる。
【符号の説明】
【０１４７】
１、１Ａ、１Ｂ、１Ｃ  照明器具
２  天井
２ａ  開口部
３  赤外線リモコン
４  無線リモコン
１００、１００Ａ、１００Ｂ、１００Ｃ  灯具ユニット
１０１  赤外線通信モジュール
１１０  光源部
１２０  基台
１３０  反射板
１３０ａ  貫通孔
１４０  レンズ
１５０、１５０Ａ、１５０Ｃ  枠体部
１５０ｂ  貫通孔
１５１  補助反射板
１５１ａ  貫通孔
１５５  キャップ
２００  電源ユニット
２０１  無線通信モジュール
３１０  第１電線（電線）
【図１】
2018139200.tif 000003
【図２】
2018139200.tif 000004
【図３】
2018139200.tif 000005
【図４】
2018139200.tif 000006
【図５】
2018139200.tif 000007
【図６】
2018139200.tif 000008
【図７】
2018139200.tif 000009
【図８】
2018139200.tif 000010
【図９】
2018139200.tif 000011
【図１０】
2018139200.tif 000012
【図１１】
2018139200.tif 000013